(57)【要約】【課題】  排気機能の他に音楽再生機能を付加できて調理中に高品質の音楽を聴くことができるレンジフード、及び排気ファンの作動時の騒音を低減できてキッチン内に十分な静粛性を確保し得るレンジフードを提供する。【解決手段】フードケースにスピーカを取り付けると共にフードケースもしくはその近傍にコントローラを配置し、該コントローラの制御によってスピーカを介してキッチン内に所定の音楽を再生する。コントローラは、スピーカに接続されたアンプと、該アンプを制御すると共に壁面の入力端子が接続された制御回路等を有し、また、コントローラは、フードケースに配置したマイクで検知された音に基づいて、その逆位相の音をスピーカから発する。【選択図】  図１
2005337584.tif 000002
【特許請求の範囲】
【請求項１】
フードケース内に排気ファンが内蔵されてキッチンのコンロ上方に設置されるレンジフードであって、
前記フードケースにスピーカを取り付けると共にフードケースもしくはその近傍にコントローラを配置し、該コントローラの制御により前記スピーカを介してキッチン内に所定の音楽を再生することを特徴とするレンジフード。
【請求項２】
前記コントローラは、スピーカに接続されたアンプと、該アンプを制御する制御回路を有し、該制御回路がレンジフード近傍の壁面に配置された入力端子を介して音響機器に接続されていることを特徴とする請求項１に記載のレンジフード。
【請求項３】
前記コントローラは、フードケースに配置したマイクで検知された音に基づいて、その逆位相の音を前記スピーカから発することを特徴とする請求項１または２に記載のレンジフード。
【請求項４】
前記マイクは、前記スピーカで兼用されることを特徴とする請求項３に記載のレンジフード。
【請求項５】
前記コントローラは、リモコンから発せられる赤外線を受信する受信回路を有し、該受信回路で受信した信号に基づいてスピーカを介して所定の音楽を再生することを特徴とする請求項１ないし４のいずれかに記載のレンジフード。
【発明の詳細な説明】
【技術分野】
【０００１】
本発明は、例えばシステムキッチン等のキッチンにおいて、コンロ上方に設置されるレンジフードに関する。
【背景技術】
【０００２】
一般的に、システムキッチンにおいては、上面のカウンタにコンロやシンクが配置されたベースキャビネットを有し、このベースキャビネットのコンロ上方には、レンジフードが設置されている。従来、この種のキッチンにおいては、キッチン専用のオーディオ装置が存在しないことから、キッチンでの調理中に音楽（音声も含む）を聞こうとする場合、市販されているラジラセ等の音響機器をキッチンの近傍に置いて聞いているのが実情である。なお、このような音響機器は本発明の請求項と関連を有するものでないため、記載すべき先行技術文献情報はない。
【発明の開示】
【発明が解決しようとする課題】
【０００３】
しかしながら、このように音楽を聞くためにラジカセ等の音響機器をキッチン内に置いた場合、キッチン自体が狭くなってキッチンの使い勝手が劣ると共に、音響特性に優れた比較的大きなスピーカを置くことが困難で、再生される音楽の音質の面でも劣るという問題点を有している。また、コンロ上方に設置されるレンジフードは、調理の際に発生する煙等を外部に排気する排気機能のみを有すると共に、レンジフードの使用中にその排気ファンの作動音が騒音としてキッチン内に響き、キッチンの静粛性を十分に確保することが難しいという問題点も有している。
【０００４】
本発明は、このような事情に鑑みてなされたもので、その目的は、排気機能の他に音楽再生機能を付加できて調理中に高品質の音楽を聴くことができるレンジフードを提供することにある。また、他の目的は、前記目的に加え、排気ファンの作動時の騒音を低減できてキッチン内に十分な静粛性を確保し得るレンジフードを提供することにある。
【課題を解決するための手段】
【０００５】
かかる目的を達成すべく、本発明のうち請求項１に記載の発明は、フードケース内に排気ファンが内蔵されてキッチンのコンロ上方に設置されるレンジフードであって、前記フードケースにスピーカを取り付けると共にフードケースもしくはその近傍にコントローラを配置し、該コントローラの制御によって前記スピーカを介してキッチン内に所定の音楽を再生することを特徴とする。
【０００６】
そして、前記コントローラは、請求項２に記載の発明のように、スピーカに接続されたアンプと、該アンプを制御する制御回路を有し、該制御回路がレンジフード近傍の壁面に配置された入力端子を介して音響機器に接続されていることが好ましい。
【０００７】
また、前記コントローラは、請求項３に記載の発明のように、フードケースに配置したマイクで検知された音に基づいて、その逆位相の音を前記スピーカから発することが好ましく、この場合、前記マイクは、請求項４に記載の発明のように、前記スピーカで兼用されることが好ましい。
【０００８】
さらに、前記コントローラは、請求項５に記載の発明のように、リモコンから発せられる赤外線を受信する受信回路を有し、該受信回路で受信した信号に基づいてスピーカを介して所定の音楽を再生することが好ましい。
【発明の効果】
【０００９】
本発明の請求項１に記載の発明によれば、レンジフードのフードケースにスピーカを取り付けると共に、フードケースもしくはその近傍にコントローラを配置しスピーカを介してキッチン内に所定の音楽を再生するため、排気機能を有するレンジフードに音楽再生機能を付加できて、キッチンの使用者が調理中に音楽を簡単に聞くことができると共に、レンジフードに取り付けたスピーカにより高音質の音楽を再生できて、付加価値に優れかつ快適なキッチン空間が得られるレンジフードを提供することができる。
【００１０】
また、請求項２に記載の発明によれば、請求項１に記載の発明の効果に加え、コントローラがアンプ及び制御回路を有し、制御回路がレンジフード近傍の壁面に配置された入力端子を介して音響機器に接続されるため、入力端子にラジカセ等の音響機器を接続するだけで、キッチン内に所望の音楽を再生できて、レンジフードの使い勝手を向上させることができる。
【００１１】
また、請求項３に記載の発明によれば、請求項１または２に記載の発明の効果に加え、コントローラがフードケースに配置したマイクで検知された音に基づいて、その逆位相の音をスピーカから発するため、逆位相の音により排気ファンの騒音を打ち消すことができて、排気ファン使用時の騒音を低減させてキッチン内に十分な静粛性を確保できると共に、スピーカから再生される音楽自体に騒音が混じることがなくなり、キッチン内に鮮明感のある音楽を再生することができる。
【００１２】
また、請求項４に記載の発明によれば、請求項３に記載の発明の効果に加え、レンジフードに取り付けられたスピーカがマイクとしても使用されるため、例えば音楽再生用の一対のスピーカのうち一方をマイクとして使用できて、音楽を再生するための構成を簡略化して安価に形成することができる。
【００１３】
さらに、請求項５に記載の発明によれば、請求項１ないし４に記載の発明の効果に加え、コントローラの受信回路で受信したリモコンからの信号に基づいてスピーカから所定の音楽が再生されるため、レンジフードのスピーカを介した音楽の再生を遠隔操作できて、その操作性を向上させることができる。
【発明を実施するための最良の形態】
【００１４】
以下、本発明の実施の形態を図面に基づいて詳細に説明する。
図１〜図６は、本発明に係わるレンジフードの一実施形態を示し、図１が該レンジフードを使用したシステムキッチンの正面図、図２がそのレンジフードの斜視図、図３がレンジフードの縦断面図、図４がその横断面、図５が制御系のブロック図、図６が動作説明図である。
【００１５】
図１において、システムキッチン１（以下、キッチン１という）は、上面にカウンタ３が配置され、このカウンタ３の例えば右端側にコンロ４が設けられると共に、左端側にシンク５等が設けられたベースキャビネット２を有している。このベースキャビネット２は、床面６上に設置されると共にその背面が壁パネルに固定されたキッチンパネル７に略当接状態で設置されている。
【００１６】
また、ベースキャビネット２の上方の壁パネルにはウォールキャビネット８が設置され、このウォールキャビネット８の右端部でベースキャビネット２のコンロ４上方には、レンジフード９が設置されている。このレンジフード９は、図２〜図４に示すように、フードケース１０と、このフードケース１０に内蔵された排気ファン１１及び後述する音響再生機器等を有している。
【００１７】
前記フードケース１０は、ガイド板１３等により下部前方に上面が略円弧形状を呈して突出すると共に、左右の側板内部に煙道１４（図４参照）がそれぞれ形成されこの煙道１４部分にフィルター１５が着脱可能に装着されたガイド部１０ａと、このガイド部１０ａの上部に一体的に設けられた幕板部１０ｂ等で形成され、ガイド部１０ａの後方側にシロッコファンやプロペラファン等からなる前記排気ファン１１が内蔵されている。
【００１８】
そして、この排気ファン１１の排気口に連結された排気ダクト１６が、例えばガイド部１０ａの上板１７を介して壁パネル１８の外部に引き出され、ガイド部１０ａで吸引された調理時の煙等が外部に排気されるようになっている。また、このガイド部１０ａの上部に一体的に設けられる前記幕板部１０ｂは、前幕板２０と横幕板２１及び上面板（もしくは天井パネル２２）や背面板（もしくは壁パネル１８）等により箱状に形成されて、その内部下方に前述した排気ダクト１６が位置すると共に、内部に前記音響再生機器が配置されている。
【００１９】
この音響再生機器は、前幕板２０に取り付けられた左右一対のスピーカ２３と、前幕板２０の左右幅方向の略中間位置に取り付けられたマイク２４と、ガイド部１０ａの上板１７上に配置されたコントローラ２５等を有している。そして、コントローラ２５は、図１に示すように、レンジフード９の側方の壁パネル１８に設けられラジカセ、ＣＤプレーヤ等の音響機器２７が接続される入力端子２６に接続されている。
【００２０】
前記スピーカ２３は、図４に拡大して示すように、ＰＰ、金属箔等の耐熱性を有する振動板２３ａを有し、振動板２３ａが幕板部１０ｂの内部に指向してそのフレーム２３ｂが前幕板２０の内面に取り付けられている。また、スピーカ２３が取り付けられる幕板部１０ａの前幕板２０には、複数本のスリット２８が形成されており、このスリット２８から幕板部１０ａ内に向けて再生された音楽がレンジフード９外であるキッチン内に再生されるようになっている。
【００２１】
なお、前記ガイド部１０ａの例えば右側の下面先端部分（煙道１４の底壁部分）には、前記コントローラ２５の一部を形成する受信回路３０が設けられ、この受信回路３０でリモコン２９から発せられる赤外線信号が受信されるようになっている。また、ガイド部１０ａの後方側の下面には照明装置３１（図２参照）が配置され、幕板部１０ｂの前幕板２０の上部には、主に換気用として作用する多数のスリット３２が設けられている。
【００２２】
図５は、前記レンジフード９の制御系のブロック図を示しており、以下、これについて説明する。レンジフード９の作動を制御する前記コントローラ２５は、例えばマイコン等からなる制御回路３４を有し、この制御回路３４の入力側には、前記受信回路３０と入力端子２６及び排気ファン１１のモータ１１ａが接続されると共に、前記マイク２４がマイクアンプ３５及びＡ／Ｄ変換回路３６を介して接続されている。また、制御回路３４の出力側には、Ｄ／Ａ変換回路３７及びパワーアンプ３８を介して一対のスピーカ２３が接続されている。
【００２３】
そして、このコントローラ２５は、無線式で図示しない音楽再生スイッチや排気スイッチ等を有するリモコン２９からの所定の赤外線信号を受信回路３０で受信することにより、制御回路３４からの制御信号により、入力端子２６に接続された音響機器２７を作動させてその音楽をＤ／Ａ変換回路３７及びパワーアンプ３８を介してスピーカ２３から再生される。この時、マイク２４で検知された音の逆位相の音がスピーカ２３から発せられるようになっている。
【００２４】
また、コントローラ２５は、制御回路３４からの制御信号により、モータ１１ａを回転させて排気ファン１１を作動できるようにもなっている。なお、コントローラ２５の構成はこの例に限定されず、アクティブノイズコントローラとして機能する他の適宜の回路構成を採用することができる。
【００２５】
次に、このように構成されたレンジフード９の使用方法の一例について説明する。先ず、コントローラ２５の制御回路３４は、排気ファン１１のモータ１１ａの回転時に、図６（ａ）に示すようなレンジフード９の騒音がマイク２４で検知された場合に、この検知信号と逆位相の図６（ｂ）に示すような音を、スピーカ２３から発するように設定されている。これにより、排気ファン１１の作動時の騒音レベルが図６（ｃ）の直線で示すように略「０」レベルとなる。
【００２６】
そして、壁パネル１８に設けられた入力端子２６に好みの音楽を再生できる音響機器２７を接続し、この状態でリコモン２９の前記音楽再生スイッチをオン操作すると、その無線信号がコントローラ２５の受信回路３０で受信され、制御回路３４から入力端子２６を介して音響機器２７の電源スイッチがオンすると共に音響機器２７が作動して所定音楽（音声も含む）が再生される。
【００２７】
この音響機器２７の再生信号は、入力端子２６、制御回路３４、Ｄ／Ａ変換回路３７を介してパワーアンプ３８に供給され、一対のスピーカ２３からレンジフード９の幕板部１０ｂ内に音楽として再生され、この音楽が幕板部１０ｂの前幕板２０に設けられたスリット２８から幕板部１０ｂ外であるキッチン内に再生され、これをキッチンの使用者が視聴できることになる。
【００２８】
そして、この音楽の再生時において、レンジフード９の排気ファン１１が作動していない場合は、マイク２４で騒音が検知されることはなく、音響機器２７で再生された音楽に排気ファン１１のノイズが畳重することもなく、レンジフード９のスピーカ２３からキンッチン内に鮮明な音楽として再生される。
【００２９】
この時、レンジフード９の前幕板２０に一対のスピーカ２３が取り付けられていることから、所定の音質性能を有するスピーカ２３をレンジフード９に確実かつ安定した状態で取り付けできると共に、レンジフード９の比較的容積のある幕板部１０ｂ内の空間を音響空間として利用でき、かつ幕板部１０ｂの後面である壁パネル１８等にスピーカ２３からの音を反射させることができて、キッチン内に高品質の音楽を再生できることになる。
【００３０】
一方、レンジフード９の排気ファン１１を作動させた状態で音楽を再生する場合は、前述したように、モータ１１ａの騒音がマイク２４で逐次検知されて制御回路３４に入力され、この制御回路３４により、スピーカ２３からモータ１１ａの騒音と逆位相の音が音楽の再生と同時に発せられて騒音が打ち消される状態となり、レンジフード９の幕板部１０ａ内で再生される音が音響機器２７の音楽のみとなって、キッチン内に音楽が明瞭に再生されることになる。
【００３１】
なお、排気ファン１１のみを作動させる場合は、リモコン２９に設けた前記排気スイッチをオン操作することにより、モータ１１ａが回転して排気ファン１１が作動状態となり、調理時に発生した煙等がガイド部１０ａ内を図４の矢印イ、ロの如く流れて排気ダクト１６から矢印ハの如く外部に排気される。また、この排気ファン１１のモータ１１ａの回転時にもその騒音がマイク２４で検知されて、検知された音と逆位相の音がスピーカ２３から発せられ、排気ファン１１作動時のモータ１１ａの騒音が打ち消される状態となり、排気ファン１１が作動状態でもキッチン内に十分な静粛性が確保されることになる。
【００３２】
つまり、このレンジフード９の場合、フードケース１０に一対のスピーカ２３とマイク２４を取り付けることで、レンジフード９にアクティブノイズコントロール機能を付加し、この機能により、排気ファン１１のモータ１１ａの騒音を低減させて、キッチン内に排気ファン１１の作動の有無に係わらず明瞭で高品質の音楽を再生できることになる。
【００３３】
このように、上記実施形態のレンジフード９にあっては、フードケース１０の幕板部１０ｂに一対のスピーカ２３を取り付け幕板部１０ｂ内にコントローラ２５を配置すると共に、キッチンの壁パネル１８に音響機器２７が接続可能な入力端子２６を設けているため、音響機器２７で再生される音楽をスピーカ２３からキッチン内に再生することができ、排気機能を有するレンジフード９に音楽再生機能を付加できて、キッチンの使用者が調理中に音楽を簡単に聞くことができる。
【００３４】
また、一対のスピーカ２３が幕板部１０ｂの前幕板２０に取り付けられるため、スピーカ２３を安定した状態で取り付けることができると共に、比較的広い幕板部１０ｂ内の空間を音響空間として利用したりスピーカ２３の音を壁パネル１８で反射させることができて、キッチン内に高音質の音楽を再生することができる。
【００３５】
さらに、コントローラ２５の制御回路３４がレンジフード９近傍の壁パネル１８に配置された入力端子２６を介して音響機器２７に接続されるため、入力端子２６にラジカセ等の音響機器２７を接続するだけでキッチン内に所望の音楽を再生できて、レンジフード９の使い勝手を向上させることができ、これらのことから、付加価値に優れかつ快適なキッチン空間が得られるレンジフード９を提供することが可能となる。
【００３６】
また、コントローラ２５の制御回路３４によりフードケース１０に配置したマイク２４で検知された音に基づいて、その逆位相の音がスピーカ２３から発せられるため、逆位相の音により排気ファン１１のモータ１１ａの騒音を打ち消すことができる。その結果、排気ファン１１単独の使用時の騒音を低減させてキッチン内に十分な静粛性を確保できると共に、排気ファン１１を作動させつつ音楽を再生させる場合に、スピーカ２３から再生される音楽自体に騒音が混じることがなくなり、キッチン内に鮮明感のある音楽を再生することができる。
【００３７】
さらにまた、コントローラ２５に赤外線信号を受信できる受信回路３０を設けているため、リモコン２９による遠隔操作で音楽を再生させたり、排気ファン１１の作動を操作することができて、レンジフード９の操作性を向上させることができる。特に、リモコン２９が排気ファン１１の操作用としても兼用されることから、キッチンで使用されるリモコンの数を低減させることができると共に、レンジフード９に係わる各種の遠隔操作を一つのリモコン２９で行うことができて、その操作性を一層向上させることができる。また、レンジフード９を音楽の再生機器の一部として使用できるため、再生機器がキッチン内に露出する等がなくなり、キッチンの意匠面での低下を防止することもできる。  
【００３８】
なお、上記実施形態においては、一対のスピーカ２３とマイク２４をレンジフード９に配置したが、例えば一方のスピーカをマイク代わりとして使用し、この一方のスピーカでモータの騒音を検知する構成とすることもできる。このように構成すれば、音楽再生用の一対のスピーカ２３のうち一方をマイクとしても使用できて、音響再生機器の構成を簡略化して安価なレンジフード９を得ることができる。
【００３９】
また、上記実施形態においては、レンジフード９の前幕板２０の内面に一対のスピーカ２３を幕板部１０ｂの内部方向に指向して配置したが、本発明はこれに限定されず、例えば一対のスピーカ２３を、幕板部１０ｂの横幕板２１等の左右両側面に内側方向に指向させて配置したり、あるいは幕板部１０ｂの天井パネル２２と接する天板の左右に略下方に向けて配置しても良いし、幕板部１０ｂに限らずガイド部１０ａの上板１７や側板等の適宜位置に配置することもできる。この場合は、マイク２４の位置も幕板部１０ｂの前幕板２０に限らず、スピーカ２３や排気ファン１１の配置位置等に応じて、モータ１１ａの騒音を的確に検知し得る適宜位置に配置することができる。
【００４０】
さらに、上記実施形態における、スピーカ２３の個数、コントローラ２５の配置位置、レンジフード９の全体形状、リモコン２９の構成等は一例であって、例えばリモコン２９を有線方式で構成したり、コントローラ２５をレンジフード９近傍の壁パネル１８に配置する等、本発明に係わる各発明の要旨を逸脱しない範囲において適宜の構成を採用することができる。
【産業上の利用可能性】
【００４１】
本発明は、システムキッチンのレンジフードに限らず、例えば一般的なキッチンのコンロ上方に単体で設置されるレンジフードにも適用できる。
【図面の簡単な説明】
【００４２】
【図１】本発明に係わるレンジフードを使用したシステムキッチンの一実施形態を示す正面図
【図２】同レンジフードの斜視図
【図３】同その縦断面図
【図４】同その横断面図
【図５】同制御系のブロック図
【図６】同その動作説明図
【符号の説明】
【００４３】
１・・・システムキッチン、２・・・ベースキャビネット、４・・・コンロ、８・・・ウォールキャビネット、９・・・レンジフード、１０・・・フードケース、１０ａ・・・ガイド部、１０ｂ・・・幕板部、１１・・・排気ファン、１１ａ・・・モータ、１３・・・ガイド板、１８・・・壁パネル、２０・・・前前板、２１・・・横前板、２３・・・スピーカ、２４・・・マイク、２５・・・コントローラ、２６・・・入力端子、２７・・・音響機器、２９・・・リモコン、３０・・・受信回路、３４・・・制御回路、３８・・・パワーアンプ。
【図１】
2005337584.tif 000003
【図２】
2005337584.tif 000004
【図３】
2005337584.tif 000005
【図４】
2005337584.tif 000006
【図５】
2005337584.tif 000007
【図６】
2005337584.tif 000008